(57)【要約】【課題】電気車両の充電ポイントモバイルアプリケーションを提供すること。【解決手段】スマートフォンまたは同様の機能を提供する他の接続された物体上で動作し、少なくともネットワークの充電ポイントに関する情報を表示することができる、モバイルアプリケーションであって、前記モバイルアプリケーションが、モバイルまたは接続された物体と協働して、電気車両にエネルギーを供給するように構成された各ネットワークの、充電ポイントに関するデータベースと情報を交換するために、少なくとも遠隔システムと通信を確立し、前記アプリケーションが、各コネクタは車両タイプに適合されている複数のコネクタを備えた充電ポイントのリストへのアクセスを提供し、前記予約をすることにより、充電ポイントの予約プロセスを処理するための少なくともモジュール「予約」を含む。【選択図】図１
2018110517.tif 000002
【特許請求の範囲】
【請求項１】
スマートフォンまたは同様の機能を提供する他の接続された物体上で動作し、少なくともネットワークの充電ポイント（６８）に関する情報を表示することができる、モバイルアプリケーションであって、前記モバイルアプリケーションが、モバイルまたは接続された物体と協働して、電気車両にエネルギーを供給するように構成された各ネットワークの、充電ポイント（６８）に関するデータベースと情報を交換するために、少なくとも遠隔システムと通信を確立し、前記アプリケーションが、充電ポイント（６８）の予約プロセスを処理するための少なくともモジュール「予約」を含み、前記モジュール「予約」が、各コネクタが車両タイプに適合されている複数のコネクタを備える充電ポイント（６８）のリストへのアクセスを提供し、前記予約をすることを特徴とする、モバイルアプリケーション。
【請求項２】
モジュール「予約」の機能が、機能がユーザによってアクティブ化されたとき、モバイルアプリケーションが、充電ポイント（６８）を管理するシステムへ通知を作成し送信するためのインタフェースをユーザに提供できるようにするクラウドソーシング機能を含むことを特徴とする、請求項１に記載のモバイルアプリケーション。
【請求項３】
モバイルアプリケーションが、新旧の充電ポイント（６８）、その位置、およびそのコネクタを提供するために、モバイルまたは接続された物体上のアプリケーションデータの更新機能を含むことを特徴とする、請求項１に記載のモバイルアプリケーション。
【請求項４】
モジュール「予約」が、スマートフォンと協働して、
ロギング情報を、ユーザによって使用された識別カードに関する情報と関連付けるために、システムでロギングすること、または、
充電要求の設定を決定できるようにすること、または、
表示されたリストまたは表示された地図上で、充電ポイント（６８）を表示し、選択すること、または、
充電ポイント（６８）の特徴表示が、選択するために表示上に列挙された様々なコネクタの可能性を提供した場合に、そのＥＶに適合したコネクタタイプを表示し、選択すること、または、
日付の後に、時間範囲選択のための時間のセレクタを使用して、予約の時間範囲を選択すること、または、
要求に関連した確認問題がないかどうか示すことによって応答するシステムへ、時間フレームおよび時間範囲と関連付けられた、充電ポイント（６８）識別の情報を送信すること、および、
システムが予約時間フレームおよび時間範囲に対するロック命令をＥＶユーザの特定の識別カードに関連した選択されたコネクタタイプを有する選択されかつ識別された充電ポイント（６８）に送信した後で、システムから予約を確認する確認メッセージを受信し、その結果、予約の時間フレームおよび時間範囲中は、適切な識別を有するＥＶユーザのみが、充電ポイント（６８）のロックを解除し、それを使用することができること、
のための構成を提供することを特徴とする、請求項１に記載のモバイルアプリケーション。
【請求項５】
モジュール「予約」の機能が、表示されたカレンダにおいて容量予約を完了した日を無効にし、照会がなされる日に先立つ日もまた無効にし、１か月の照会の限度の後の日を制限するような構成を含むことを特徴とする、請求項４に記載のモバイルアプリケーション。
【請求項６】
モジュール「クラウドソーシング」の機能が、充電ポイント（６８）のエラー情報を通知する、または設置された新しい充電ポイント（６８）を通知する２つの方法を提供すること含むことを特徴とする、請求項２に記載のモバイルアプリケーション。
【請求項７】
ａ）既存の充電ポイント（６８）についての情報であり、そこでは、ユーザが故障、取り替えまたは改良などを伝達した充電ポイント（６８）に関する通知が、モバイル上で作成され、ＣＰＭＳに送信され、必要であれば問題を調整するために運営者に提供され、
ｂ）ＥＶユーザが第５のアイコン（５）をタッチまたは選択したとき、新しい充電ポイント（６８）の通知がアクティブ化される、
２つのタイプの通知があることを特徴とする、請求項６に記載のモバイルアプリケーション。
【請求項８】
モジュール「クラウドソーシング」の機能が、
ユーザが、充電ポイント詳細の画面でこの特徴を見ることができる、既存の充電ポイント（６８）のステータスに関する通知と、
ＥＶユーザが第５のアイコン（５）をタッチまたは選択したとき、新しい充電ポイント（６８）の通知機能がアクティブ化されることと、
ユーザによって見つけられ、ＣＰＭシステムには登録されていない新しい充電ポイント（６８）の通知であって、ＣＰＭＳが他の運営者からの外部の充電ポイント（６８）を示した場合、前記機能が適用され、前記通知が、
充電ポイント（６８）の説明、
運営者、
コネクタタイプ、
コメント
の領域を含む充電ポイント（６８）の通知と、を含むことを特徴とする、請求項２、５または６のいずれか一項に記載のシステム。
【請求項９】
更新機能が、モバイルに組み込まれた更新ツールを使用し、４つの異なるタイプ：
運営者およびコネクタは、ＣＰＭシステムが新しい更新パッケージを生成するたびに更新され、アプリケーションはスマートフォンに組み込まれた更新ツールを使用するタイプと、
アプリケーションは組み込まれるだけであり、アプリケーションが初回に動作するとき、国がモバイルの座標から計算され、この国のすべてのローカルな充電ポイント（６８）およびコネクタがダウンロードされ、運営者および国もダウンロードされ、これらのデータがモバイルのローカル記憶装置に保存されるタイプと、
ユーザは好みに従って３つまでの国を選択でき、前記国が選択されたとき、国のすべての充電ポイント（６８）およびコネクタがダウンロードされるタイプと、
アプリケーションが開始し、自動更新が可能になるたびに、アプリケーションが充電ポイント（６８）およびコネクタが更新されてから１５日を超えたかどうかチェックし、この場合、前記アプリケーションがウェブサービスにアクセスし、ダウンロードするために何か新しいまたは変更されたデータがあるか調べるタイプと
からなることを特徴とする、請求項３に記載のシステム。
【請求項１０】
モジュール「予約」の機能が、車両を充電する前に、ＲＦＩＤカードまたは類似のカードをとおして、予約された充電ポイント（６８）へのアクセスおよび制御を提供することであることを特徴とする、請求項１に記載のモバイルアプリケーション。
【請求項１１】
モバイルアプリケーションが、ＣＰＭＳを充電ポイント（６８）制御システムとして使用する運営者と契約を結んでいるＥＶユーザに提供される「プライベート機能」を含み、前記ユーザがこの状態において、高度な機能を有するプライベート領域へのアクセスを認めるクレデンシャルを与え、前記領域が、充電の状況、遠隔操作、またはセッション履歴といった高度な機能を提供することを特徴とする、請求項１から１０のいずれか一項に記載のモバイルアプリケーション。
【請求項１２】
スマートフォン、または、タッチディスプレイ、コントローラおよびメモリを有するモバイル物体に記憶するように構成され、複数の電気車両充電ポイントのための管理システムとの通信をサポートし、モバイルの位置を決定するためにモバイルデバイスに組み込まれたＧＰＳナビゲーションデバイスとの通信をサポートし、かつ、表示上に示されたモバイルの位置の周辺に設置されたＣＰについての情報を表示するためにＧＩＳとの通信をサポートする、スマートフォンのコントローラ用のコンピュータ実行可能命令を含み、コンピュータ実行可能命令は、複数の充電ポイントのうちの１つまたは複数の充電ポイントの少なくとも１つの特性について管理システムから情報を抽出するためのコンピュータコードを含む、請求項１に記載のモジュール予約。
【請求項１３】
情報を表示するための命令が、利用可能性の概要、および、複数の充電ポイントのうちの１つまたは複数の利用可能ステータスを表示するように構成されている、請求項１２に記載のモジュール予約。
【請求項１４】
情報を表示するための命令が、オブジェクトのスクロール可能な表示を作成するように構成されており、各オブジェクトは、複数の充電ポイントのうちの１つまたは複数の位置およびステータスを識別する、請求項１２に記載のモジュール予約。
【請求項１５】
表示されたリストまたは表示された地図上で、充電ポイント（６８）を選択するためのコンピュータ実行可能命令を含む、請求項１２に記載のモジュール予約。
【請求項１６】
充電ポイント（６８）の特徴表示が、選択するために表示上に列挙された様々なコネクタの可能性を提供した場合に、ＥＶに適合したコネクタタイプを表示し選択するためのコンピュータ実行可能命令を含む、請求項１２に記載のモジュール予約。
【請求項１７】
日付の後に、時間範囲選択のための時間のセレクタを使用して予約の時間範囲を選択するためのコンピュータ実行可能命令を含む、請求項１２に記載のモジュール予約。
【請求項１８】
要求に関連した確認問題がないかどうか示すことによって応答するシステムへ、時間フレームおよび時間範囲と関連付けられた、充電ポイント（６８）識別の情報を送信するためのコンピュータ実行可能命令を含む、請求項１２に記載のモジュール予約。
【請求項１９】
システムが予約時間フレームおよび時間範囲に対するロック命令をＥＶユーザの特定の識別カードに関連した選択されたコネクタタイプを有する選択されかつ識別された充電ポイント（６８）に送信した後で、システムから予約を確認する確認メッセージを受信するためのコンピュータ実行可能命令を含み、その結果、予約の時間フレームおよび時間範囲中は、適切な識別を有するＥＶユーザのみが、充電ポイント（６８）のロックを解除し、それを使用することができる、請求項１２に記載のモジュール予約。
【請求項２０】
ユーザが故障、取り替えまたは改良を伝達する充電ポイント（６８）に関し、ＣＰＭＳに送信される、既存の充電ポイント（６８）についての情報メッセージの作成を可能にし、または、
ＥＶユーザが表示上のアイコン（５）をタッチまたは選択したときにアクティブ化される、新しい充電ポイント（６８）の通知を可能にするためのコンピュータ実行可能命令を含む、請求項６に記載のモジュール「クラウドソーシング」。
【発明の詳細な説明】
【技術分野】
【０００１】
本発明は、充電ポイントサービスにアクセスするための、モバイルアプリケーションに関する。
【背景技術】
【０００２】
充電スタンドの初期のユーザは、利用可能性が低いことにしばしば不満を募らせてきた。多くの電気車両の一充電走行距離は限られているので、遠隔の充電スタンドに移動した挙句にそれが利用不能であると、別の充電スタンドに移動するのに十分な走行距離がない場合、重大な問題となる可能性がある。
【０００３】
この問題を解決するために、ＥＰ２６２３３６４は、車両を電力源、１つまたは複数の光学画像センサ、制御プロセッサ、および遠隔アクセスおよび制御のための通信リンクに接続するための電気車両サービス装置を組み込んだ、電気車両充電スタンドについて教示している。
【０００４】
この教示によれば、ユーザが充電する必要があると決定したとき、ユーザは、インターネットおよびモバイルウェブブラウザ、またはスマートフォンもしくは車両に内蔵された「アプリ」をとおして、充電ネットワークサーバのデータベースにアクセスするであろう。地図表示により、ユーザは、現在位置の近傍、または計画された目的地の近傍の充電場所を識別することができる。ユーザは次いで、充電器に関するステータス情報にアクセスし、最近の画像を見て充電が利用できることを確認でき、権限のない車両によって損害を受けたり妨害されたりすることはない。充電供給者の選択で、充電器予約および請求書作成といった、様々なサービスが提供される。しかし、カメラ映像を表示することは、広帯域幅を必要とし、ＥＶユーザの予約代金を急速に消費する。カメラのステータス情報に関してさえ正確であるとは言えず、予約がなされた時間と、選択された充電ポイントに車両が到着する時間との間に、前記充電ポイント（ＣＰ）のステータスが変化する可能性があり、他の車両が現れることもあり得る。
【０００５】
さらに、このサービスは、供給者のためのサービスネットワークのみに関する。電気車両の発展に伴い、多くのサービス供給者は、コネクタなどいくつかの車両のいくつかの特定の特徴に適合された充電ポイントで充電サービスを提供しており、他の充電ポイントは特定の車両に適合されているだけである。各供給者がカメラを必要とする場合、映像の送信時間は、ユーザが充電ポイントを見つけるために相談する必要があるサービス供給者の数に従って、車両の残りの自立性の範囲内で急速に増加する可能性がある。
【０００６】
さらに、市場が拡大するのに従って、各運営者は、新しいコネクタを装備した、または、新しい機能を必要とする新しい車両へ提案を適合させつつある。したがって、ネットワークの新しい可能性についていくことができ、市場の提供に追随する容量を有するユニバーサルサービスが求められている。
【０００７】
いくつかの既存の充電スタンドはネットワークの一部であり、スタンドはネットワークから遠隔で監視し制御することができる。ユーザはしばしば、地図またはデータベースにアクセスし、近傍の充電ポイントを識別でき、いくつかの場合には、そのスタンドが利用可能かどうか決定することができる。国際公開第２０１４／０６２９０９号は、特定の時間までの充電要求設定（たとえば、エネルギーの量として、および／または、特定の車両についての移動の走行距離）、および、料金が特定の値を上回らないで追加の充電を受ける（電池の限界まで）選択を可能とする、電気車両サービス装置（ＥＶＳＥ）管理システムに対する選択を提供する、モバイルスマートフォンまたは他のデバイス上で動作することができるアプリケーションへの１つのユーザインタフェースを含むこうしたソリューションを示している。しかし、この実施形態において、こうした選択は、ＥＶＳＥに接続されたキーパッドにボタンを押下することによって入力するコードとして提供することができる。または、他の実施形態において、選択は、サーバ／データベースに送信され、ＥＶＳＥ管理システムによって可読な、バーコードとして提供され、または無線で（たとえば、ブルートゥース（登録商標）経由）ＥＶＳＥ管理システムに送信することができる。ユーザインタフェースによって提供される他の機能は、追加のアカウント管理、アプリケーションまたは現在位置についての情報、および近傍のＥＶＳＥへの方向を含むことができる。
【０００８】
このバーコードの欠点は、ネットワークの各ステーションがこの情報を復号できるようになる必要があることである。
【０００９】
この文書は、ＥＶＳＥとの短距離（ブルートゥース）通信のみを教示している。
【００１０】
それとは逆に、本発明のアプリケーションは、遠隔管理システムをとおして任意の運営者によって利用される任意の種類のプロトコルで、通信することができる。
【００１１】
しかし、ユーザの車両が充電スタンドに接近するのに必要な時間の間に、予約がなされていても充電ポイントの利用可能性が変化することがある。
【００１２】
別の難点は、様々な運営者が通常、充電ポイントについての情報を注意深く検討し、定期的な時間間隔で充電ポイントのステータスをチェックしたとしても、運営者に対する充電ポイント（ＣＰ）についての問題または異常な状態の通知を、極めて迅速に入手することが重要なことであり得る。
【先行技術文献】
【特許文献】
【００１３】
【特許文献１】欧州特許出願公開第２６２３３６４号明細書
【特許文献２】国際公開第２０１４／０６２９０９号
【発明の概要】
【発明が解決しようとする課題】
【００１４】
本発明は、充電ポイント基盤を効率的に使用し管理するための手段を提供することにより、従来技術の一定の欠点を除去することを目的とする。
【課題を解決するための手段】
【００１５】
この目的は、スマートフォンまたは同様の機能を提供する他の接続された物体（ｃｏｎｎｅｃｔｅｄ  ｏｂｊｅｃｔ）上で動作し、少なくともネットワークの充電ポイントに関する情報を表示することができる、モバイルアプリケーションによって達成され、前記モバイルアプリケーションは、モバイルまたは接続された物体と協働して、電気車両にエネルギーを供給するように構成された各ネットワークの、充電ポイントに関するデータベースと情報を交換するために、少なくとも遠隔システムと通信を確立し、前記アプリケーションが、充電ポイントの予約プロセスを処理するための少なくともモジュール「予約」を含み、前記モジュール「予約」が、各コネクタが車両タイプに適合されている複数のコネクタを備える充電ポイントのリストへのアクセスを提供し、前記予約をすることを特徴としている。
【００１６】
別の特徴によれば、モジュール「予約」の機能は、機能がユーザによってアクティブ化されたとき、モバイルアプリケーションが、充電ポイントを管理するシステムへ通知を作成し送信するためのインタフェースをユーザに提供できるようにするクラウドソーシング機能を含む。
【００１７】
別の特徴によれば、モバイルアプリケーションは、新旧の充電ポイント、その位置、およびそのコネクタを提供するために、モバイルまたは接続された物体上のアプリケーションデータの更新機能を含む。
【００１８】
別の特徴によれば、「予約」モジュールは、スマートフォンと協働して：
・ロギング情報を、ユーザによって使用された識別カードに関する情報と関連付けるために、システムでロギングすること、または、
・充電要求の設定を決定できるようにすること、
・表示されたリストまたは表示された地図上で、充電ポイントを表示し選択すること、または、
・充電ポイントの特徴表示が、選択するために表示上に列挙された様々なコネクタの可能性を提供した場合に、そのＥＶに適合したコネクタタイプを表示し、選択すること、または、
・日付の後に、時間範囲選択のための時間のセレクタを使用して、予約の時間範囲を選択すること、または、
・要求に関連した確認問題がないかどうか示すことによって応答するシステムへ、時間フレームおよび時間範囲と関連付けられた、充電ポイント識別の情報を送信すること、および、
・システムが予約時間フレームおよび時間範囲に対するロック命令をＥＶユーザの特定の識別カードに関連した選択されたコネクタタイプを有する選択されかつ識別された充電ポイントに送信した後で、システムから予約を確認する確認メッセージを受信し、その結果、予約の時間フレームおよび時間範囲中は、適切な識別を有するＥＶユーザのみが、充電ポイントのロックを解除し、それを使用することができること、
のための構成を提供する。
【００１９】
別の特徴によれば、モジュール「予約」の機能は、表示されたカレンダにおいて容量予約を完了した日を無効にし、照会がなされる日に先立つ日もまた無効にし、１か月の照会の限度の後の日を制限するような構成を含む。
【００２０】
別の特徴によれば、モジュール「クラウドソーシング」の機能は、充電ポイントのエラー情報を通知する、または設置された新しい充電ポイントを通知する２つの方法を提供することを含む。
【００２１】
別の特徴によれば、モバイルアプリケーションは２つのタイプの通知を提供する：
ａ）既存の充電ポイントについての情報であり、そこでは、ユーザが故障、取り替えまたは改良などを伝達した充電ポイントに関する通知が、モバイル上で作成され、ＣＰＭＳに送信され、必要であれば問題を調整するために運営者に提供される。
ｂ）ＥＶユーザが第５のアイコン（５）をタッチまたは選択したとき、新しい充電ポイントの通知がアクティブ化される。
【００２２】
別の特徴によれば、モジュール「クラウドソーシング」の機能は：
・ユーザが、充電ポイント詳細の画面でこの機能を見ることができる、既存の充電ポイントのステータスに関する通知と、
・ＥＶユーザが第５のアイコン（５）をタッチまたは選択したとき、新しい充電ポイントの通知機能がアクティブ化されることと、
・ユーザによって見つけられ、ＣＰＭシステムには登録されていない新しい充電ポイントの通知であって、ＣＰＭＳが他の運営者からの外部の充電ポイントを示した場合、前記機能が適用され、前記通知が：
−  充電ポイントの説明、
−  運営者、
−  コネクタのタイプ、
−  コメント
の領域を含む通知と、を含む。
【００２３】
別の特徴によれば、更新機能は、モバイルに組み込まれた更新ツールを使用し、４つの異なるタイプからなる：
・運営者およびコネクタは、ＣＰＭシステムが新しい更新パッケージを生成するたびに更新される。アプリケーションはスマートフォンに組み込まれた更新ツールを使用する。
・アプリケーションは組み込まれるだけであり、アプリケーションが初回に動作するとき国がモバイルの座標から計算され、この国のすべてのローカルな充電ポイントおよびコネクタがダウンロードされ、運営者および国もダウンロードされる。これらのデータは、モバイルのローカル記憶装置に保存される。
・ユーザは好みに従って３つまでの国を選択でき、前記国が選択されたとき、国のすべての充電ポイントおよびコネクタがダウンロードされる。
・アプリケーションが開始し、自動更新が可能になるたびに、アプリケーションは充電ポイントおよびコネクタが更新されてから１５日を超えたかどうかチェックし、この場合、前記アプリケーションはウェブサービスにアクセスし、ダウンロードするために何か新しいまたは変更されたデータがあるか調べる。
【００２４】
別の特徴によれば、モジュール「予約」の機能は、車両を充電する前に、ＲＦＩＤカードまたは類似のカードをとおして、予約された充電ポイントへのアクセスおよび制御を提供することである。
【００２５】
別の特徴によれば、モバイルアプリケーションは、ＣＰＭＳを充電ポイント制御システムとして使用する運営者と契約を結んでいるＥＶユーザに提供される「プライベート機能」を含み、前記ユーザはこの状態において、高度な機能を有するプライベート領域へのアクセスを認めるクレデンシャルを与え、前記領域は、充電の状況、遠隔操作、またはセッション履歴といった高度な機能を提供する。
【００２６】
別の特徴によれば、モジュール「予約」は、スマートフォン、または、タッチディスプレイ、コントローラおよびメモリを有するモバイル物体に記憶するように構成され、複数の電気車両充電ポイントのための管理システムとの通信をサポートし、モバイルの位置を決定するためにモバイルデバイスに組み込まれたＧＰＳナビゲーションデバイスとの通信をサポートし、かつ、表示上に示されたモバイルの位置の周辺に設置されたＣＰについての情報を表示するためにＧＩＳとの通信をサポートする、スマートフォンのコントローラ用のコンピュータ実行可能命令を含み、コンピュータ実行可能命令は、複数の充電ポイントのうちの１つまたは複数の充電ポイントの少なくとも１つの特性について管理システムから情報を抽出するためのコンピュータコードを含む。
【００２７】
別の特徴によれば、情報を表示するための命令は、利用可能性の概要、および、複数の充電ポイントのうちの１つまたは複数の利用可能ステータスを表示するように構成されている。
【００２８】
別の特徴によれば、情報を表示するための命令は、オブジェクトのスクロール可能な表示を作成するように構成されており、各オブジェクトは、複数の充電ポイントのうちの１つまたは複数の位置およびステータスを識別する。
【００２９】
別の特徴によれば、モジュール「予約」は、表示されたリストまたは表示された地図上で、充電ポイントを選択するためのコンピュータ実行可能命令を含む。
【００３０】
別の特徴によれば、モジュール「予約」は、充電ポイントの特徴表示が、選択するために表示上に列挙された様々なコネクタの可能性を提供した場合に、そのＥＶに適合したコネクタタイプを表示し、選択するための、コンピュータ実行可能命令を含む。
【００３１】
別の特徴によれば、モジュール「予約」は、日付の後に、時間範囲選択のための時間のセレクタを使用して予約の時間範囲を選択するコンピュータ実行可能命令を含む。
【００３２】
別の特徴によれば、モジュール「予約」は、要求に関連した確認問題がないかどうか示すことによって応答するシステムへ、時間フレームおよび時間範囲と関連付けられた、充電ポイント識別の情報を送信するためのコンピュータ実行可能命令を含む。
【００３３】
別の特徴によれば、システムが予約時間フレームおよび時間範囲に対するロック命令をＥＶユーザの特定の識別カードに関連した選択されたコネクタタイプを有する選択されかつ識別された充電ポイントに送信した後で、モジュール「予約」は、システムから予約を確認する確認メッセージを受信するためのコンピュータ実行可能命令を含み、その結果、予約の時間フレームおよび時間範囲中は、適切な識別を有するＥＶユーザのみが、充電ポイントのロックを解除し、それを使用することができる。
【００３４】
別の特徴によれば、モジュール「クラウドソーシング」は、
・ユーザが故障、取り替えまたは改良を伝達する充電ポイントに関し、ＣＰＭＳに送信される、既存の充電ポイントについての情報メッセージの作成を可能にし、または、
・ＥＶユーザが表示上のアイコンをタッチまたは選択するときにアクティブ化される、新しい充電ポイントの通知を可能にするためのコンピュータ実行可能命令を含む。
【００３５】
本発明の他の特徴および利点は、添付図面を参照して以下の説明を読めば、より明らかに見えてくるであろう：
【図面の簡単な説明】
【００３６】
【図１】一実施形態による充電ポイント管理システムのレイヤの略図である。
【図２】一実施形態によるいくつかの機能を実行するための１組のアイコンを含んだモバイル上のモバイルアプリケーションの表示を表す図である。
【図３ａ】一実施形態による利用可能な一群の充電ポイントの位置のＧＩＳ（地理情報システム）の表示を表す図である。
【図３ｂ】一実施形態による群の一部を形成する個々の充電ポイントの地図上の位置のＧＩＳ（地理情報システム）の表示を表す図である。
【図４】一実施形態による距離によって配列された充電ポイントのリストの表示を表す図である。
【図５】一実施形態による充電ポイントの手動検索の表示を表す図である。
【図６ａ】一実施形態による充電ポイントについての詳細な情報の表示を表す図である。
【図６ｂ】一実施形態による充電ポイントに関する他の機能を実行するための１組のボタンの表示を表す図である。
【図７ａ】一実施形態による現在位置から選択された充電ポイントの位置までの道順の表示を表す図である。
【図７ｂ】一実施形態による前記選択された充電ポイントへ到着するための詳細なルートの表示を表す図である。
【図８ａ】一実施形態によるユーザが、充電ポイント管理システムに格納された情報について、故障、取り替えまたは改良を伝達する充電ポイントについての通知の表示を表す図である。
【図８ｂ】一実施形態によるユーザによって見つけられ前記管理システムに登録されていない新しい充電ポイントの通知の表示を表す図である。
【発明を実施するための形態】
【００３７】
本発明は、電気車両のための充電ポイント基盤にアクセスするためのモバイルアプリケーションに関し、より正確には、ユーザの近傍または所与の距離にある、いくつかの基準に基づいて選択された充電ポイントを予約するためのシステムに関する。
【００３８】
いくつかの実施形態において、スマートフォンまたは同様の機能を提供する他の接続された物体上で動作し、少なくともネットワークの充電ポイント（６８）に関する情報を表示することができるモバイルアプリケーションは、モバイルまたは接続された物体と協働して、電気車両にエネルギーを供給するように構成された各ネットワークの、充電ポイント（６８）に関するデータベースと情報を交換するために、少なくとも遠隔システムと通信を確立する。いくつかの実施形態において、前記アプリケーションは、充電ポイント（６８）の予約プロセスを処理するための少なくともモジュール「予約」を含み、前記モジュール「予約」は、各コネクタが車両タイプに適合されている複数のコネクタを備える充電ポイント（６８）のリストへのアクセスを提供し、前記予約をすることを特徴とする。
【００３９】
以下の説明において、発明者らは以下の頭字語を対応する意味で使用する：
・オープン充電ポイントプロトコル＝ＯＣＰＰ
・充電ポイント管理システム＝ＣＰＭＳ
・ＣＰＭ＝充電ポイントマネジャ
・地理情報システム＝ＧＩＳ
・電気車両ユーザ＝ＥＶｕ
・充電ポイント＝ＣＰ
・電気車両＝ＥＶ
【００４０】
この節は、ＣＰ管理システムと協働するモバイルアプリケーションの説明を含む。このアプリケーションは、ＣＰＭＳと呼ばれるシステムの外部の構成要素であり、ＥＶユーザにＣＰＭＳに格納された充電ポイント、トランザクションなどについての情報を提供する。図１に示すように、ＣＰＭＳは充電スポット（６６）を管理し、この充電スポットは、充電パーク（６７）、またはスタンドアロンの充電ポイント（６８）、または急速充電器（６９）とすることができる。いくつかの充電スポットは同一のまたは異なる運営者に属することができる。ＣＰ管理システムは、ＧＳＭ（登録商標）接続（６１）またはＵＭＴＳ接続（６２）、またはＭ２Ｍ接続（６３）、またはインターネット（６４）を介して、運営者、充電スポット、および異なるユーザのモバイルと通信することができる。
【００４１】
以下の図２から図８にモバイルアプリケーションの主な特徴を示す。
【００４２】
ＣＰＭＳの上位アーキテクチャは、基盤およびシステムにかかわらず、異なる充電ポイントのベンダと組み合わせることができ、一方で情報を交換するためにサードパーティのシステムと統合することができる。
【００４３】
さらに、ＣＰＭＳソリューションが、情報をウェブおよびモバイルアプリケーションをとおして電気車両ユーザに提供するサービスレイヤを提供するので、モバイルアプリケーションは、エンドユーザのニーズを解決することができる。
【００４４】
モバイルの各表示の底部に、アイコンのうちの１つが選択されまたはタッチされたとき、表示されている機能とは違う別の機能を実行するための１組のアイコン（図２の１から５）が含まれている。
【００４５】
アイコン（１）は、選択された充電ポイント（６８）への充電ポイント経路指定を表示する全世界的な位置決めに関する。
【００４６】
アイコン（２）は、アイコンをタッチまたは選択する前に画面上に表示される、項目（ＣＰ、ルート、新しいＣＰの通知など）の特性またはパラメータまたは特徴のリストの下の表示を提供する。
【００４７】
アイコン（３）は、項目に対する検索機能を提供する。
【００４８】
アイコン（４）は、ユーザが１組のパラメータを編集できるようにする。
【００４９】
アイコン（５）は、ＥＶユーザが通知を送信できるようにする。
【００５０】
次に、各アイコンによって提供される機能の特徴を説明する。
【００５１】
第１の機能（１）は、図３ａで示すように、ＧＩＳ（地理情報システム）地図上で利用可能な充電ポイント（６８）の地図上の位置を表示するためのユーザ位置決め機能および全世界的な位置決め機能を開始することである。
【００５２】
モバイル上でこの機能をアクティブ化させることにより、ＥＶユーザは、ＧＩＳ環境を介して、ディスプレイ装置が、示す地図を提供するＧＩＳのメインページを示すことを得る。モバイルデバイスのＧＰＳ位置は、モバイルのＧＰＳデバイスによってディスプレイ装置に提供され、地図上で重ね合わされる、一方、ＧＰＳ位置は、最も近いポイントに関する情報を送達するために、ネットワークの管理システムに送信される。ＧＰＳ位置に最も近い充電ポイントの表示（７、図３ｂ）は、ページ上で重ね合わされ、前記充電ポイント情報またはグラフィック表示は、管理システムにより通信リンクをとおしてモバイルへ送信される。このＧＩＳは、モバイル表示と協働したズーム機能を含む。ビューがズームアウトされると、充電ポイントは、図３ａに示すように、番号付きの青い円として群（７０）で地図上に提示される。この数は、この群に含まれるポイントの総数を表す。群を押すまたは円を表すアイコンにタッチすると、地図はズームインして選択された群内のすべてのポイントを示す。
【００５３】
この第１のアイコン（１）はまた経路指定機能を提供する。ＥＶユーザはモバイル上でこの機能をアクティブ化させることにより、図７ａに示すように現在位置から選択された充電ポイントの位置までの道順を見つけるためのヘルプを得る。システムは、モバイルデバイスに組み込まれたＧＰＳに接続し、Ｇｏｏｇｌｅによって提供された特徴を使用して充電ポイント（６８）への最適なルートを示し、地図上に青でルートを描く。経路指定機能は、たとえばＧｏｏｇｌｅ  Ｍａｐｓ  ＡＰＩをとおして提供される。
【００５４】
ユーザが道順についてのさらなる詳細が必要な場合、アプリケーションはまたＧｏｏｇｌｅによって提供されたツールを使用して、各ステップの説明がついた図７ｂで示された詳細なルートを表示する。
【００５５】
いくつかの実施形態において、モバイルアプリケーションは、図２および図６ａに示すように、２つのタイプの情報をユーザに提供することができる：
・第１の情報は、管理システム提供者と契約した運営者自身によって提供された情報であり、この運営者によって設置され構成された充電ポイントについての完全で詳細な情報を示す。この場合、システムから送信された情報を表示した後で、モバイルアプリケーションは、ユーザに充電ポイント（６８）の予約、トランザクションの詳細などの高度な機能を提供する。
・図６ａに示された第２の情報は、他の運営者、ホテル、ショッピングセンタなどによって設置された他の充電ポイント（６８）についての公開情報を提供する。この場合、モバイルアプリケーションおよびＣＰＭの各要求が外部のシステムを検索し、ＣＰＭシステムメモリの局所に記憶した後で、情報はＣＰＭシステムによって引き出される。
【００５６】
いくつかの実施形態において、モジュール「予約」の機能は、車両を充電する前に、ＲＦＩＤカードまたは同様なものを介して、予約された充電ポイント（６８）へのアクセスおよび制御を提供することである。たとえば、また制限なく、ＲＦＩＤ（無線周波数識別）カードによる予約が利用できない場合、クレジットカードを使用することができる。
【００５７】
いくつかの実施形態において、モジュール「ブッキング」はクラウドソーシング機能を含む。運営者は通常、充電ポイント（６８）についての情報を注意深く検討するが、ＥＶユーザからのヘルプは、ＣＰについての問題または異常な状態を運営者に通知するために極めて重要である。モバイルアプリケーションは、前記クラウドソーシング機能がアクティブ化されるとき、システム管理ＣＰに通知を作成し送信するためのインタフェースをユーザに提供することができる。
【００５８】
モバイルアプリケーションによって可能となる、図８ａおよび図８ｂに示される２つのタイプの通知がある。こうした通知表示は、ユーザが任意の表示の底部にあるアイコン（５）を選択すると現れる：
・ユーザが、ＣＰＭＳに格納された情報について故障、取り替えまたは改良を伝達する充電ポイント（６８）についての図８ａの通知。
・ユーザによって見つけられ、ＣＰＭシステムに登録されていない新しい充電ポイント（６８）についての図８ｂに示される通知。ＣＰＭＳが、運営者によって設置された充電ポイント（６８）に加えて、自身の運営者によって管理されない外部の充電ポイント（６８）を提供する場合に限って、この機能が適用され、アクティブ化される。
【００５９】
いくつかの実施形態において、アプリケーションは、ユーザ固有情報を他のユーザに開示しないようにログインシステムを有する。このシステムは導入されたアクセスデータを、ＣＰＭＳに格納されたクレデンシャルと対比する。情報の他の部分は公開となる。
【００６０】
エンドユーザは、モバイルアプリケーションをとおして決定されたデータに対する、およびタイムスロットにおける特定のＣＰを予約することができる。システムＣＰＭが予約を管理する方法は、いくつかある特徴の中で特に、予約はシステムＣＰＭによって内部的に管理され、ＯＣＰＰを定義するものとしてのＣＰによっては管理されないので、ＣＰがいくつかの予約を有することが可能となる。
【００６１】
ユーザの位置と関連した任意のタイプの検索または経路指定のためには、第一に、ユーザの位置およびユーザが捜している充電ポイント（６８）の位置を知らなければならない。この特徴は、ユーザの周りの充電ポイント（６８）、経路指定などの追加のサービスをユーザに提供するために、正確なまたは近似的なＧＰＳ位置を定義するために使用される。
【００６２】
ユーザの衛星による測量は、モバイルに組み込まれたＧＰＳ（全地球測位システム）、および、位置を決定するために携帯電話の基地局またはＷｉ−Ｆｉ接続を使用して、特定のＡＰＩ（アプリケーションプログラミングインタフェース）をとおして実施される。この衛星による測量により、アプリケーションはユーザの現在位置をＧＩＳ環境中に示すことができる。
【００６３】
別の特徴により、ユーザは異なる位置をユーザモバイルアプリケーションの現在位置であると位置決めできる。この機能はまた、ユーザに以下により、現在位置にかかわらず容易に他の位置に誘導する機能を提供する：
・地図アプリケーションを使用する。ＥＶユーザは、地図に合った充電ポイントを示す、地図上の正確な位置まで地図をスライドさせることができる。
・「充電ポイントの検索」機能のセクションで捜し求められた充電ポイント（６８）の位置を表示する。地図上の任意の点から、地図上の適切なアイコンをクリックするだけで、ユーザは自身のＧＩＳ位置に戻ることができる。
【００６４】
ＧＩＳにおいて、映画館、ホテル、レストラン、ショッピングセンタ、フィットネスまたはスポーツセンタの近傍の充電ポイントは、特定の色で他と区別され、それにより、ユーザはそれらのうちの１つを選択し、車両の充電中に活動することができる。
【００６５】
設定機能は、底部列のアイコン（４）をアクティブ化させることによってアクセスされ、図２に示す表示をトリガする。
【００６６】
モバイルアプリケーションは、いくつかの国、運営者など幅広い情報を提供する。
【００６７】
これを行うために、アプリケーションは、ユーザによって編集可能な１組のパラメータを定義し、表示する。このように、システムはＥＶユーザのニーズに真に適合する結果を提供する。ＧＩＳ地図またはリストによって提供される情報は、以下のパラメータを考慮に入れるであろう。
【００６８】
パラメータは：
・国：充電ポイント（６８）を検索したい国。デフォルトで、アプリケーションがダウンロードされる国のみがアクティブ化される。
・運営者：モバイルアプリケーションが他の運営者の情報を提供するとき、選択されるためにシステムは運営者に関する情報を提供する。
・コネクタのタイプ：いくつかのコネクタタイプがＥＶ用に利用可能である（たとえば、Ｍｅｎｎｅｋｅｓ、ＣＨＡｄｅＭＯ、またはＣＳＳ）：この機能により、任意の充電ポイント（６８）で見つけることができるコネクタの多数選択が可能となる。たとえば、日産リーフは、Ｍｅｎｎｅｋｅｓ、またはＣＨＡｄｅＭＯを使用することができるが、たとえばＣＳＳは使用することができない。
・自動更新：モバイルアプリケーションは、２つの方法で作動することができ（接続されてまたは非接続で）、接続された動作では、アプリケーションが実行されるたびごとに、アプリケーションは、ＣＰＭＳに対する最新の情報を要求する。非接続の動作では、アプリケーションは、デフォルトでシステムに格納された情報を使用する。
【００６９】
図２によれば、ユーザは表示上でパラメータ（国、運営者、コネクタタイプ）のうちの１つを選択して、アプリケーションをとおして、ユーザがパラメータの対応する選択可能な値のうちの１つを選択することができるスクロールメニューの表示を可能とすることができる。運営者を選択するとき、対応する値は：すべて、ＯＰ１、ＯＰ２・・・とすることができる。コネクタタイプを選択するとき、ユーザは、以下のタイプ：すべて、Ｍｅｎｎｅｋｅｓ、ＣＨＡｄｅＭＯ、ＣＳＳ、その他、から選択することができる。
【００７０】
アプリケーションがカバーしなければならない主な点は、最終ユーザに、場に設置された充電基盤についての情報を提供することである。この情報は、ＧＩＳ地図として、または図４に示された距離によって配列されたリストとしての２つの方法で提供することができる。
【００７１】
このＧＩＳ環境は、アプリケーションにおけるより有益な観点となる。その理由は、ＧＩＳ環境が、アプリケーション画面に示された位置の周囲に設置されたＣＰについての情報を示すからである。
【００７２】
任意の充電ポイント（６８）が選択された場合、アプリケーションは、概略、住所、市およびユーザの現在位置からの距離を有するポップアップ画面を示す。このポップアップ画面をタップすると、ユーザを充電ポイント（６８）についての詳細な情報へリダイレクトする。
【００７３】
ユーザが地図上でズームアウトすると、充電ポイントの位置は地図上の新しいポイントに集まる。各ポイント（図３ａの７０）は集まった充電ポイント（６８）の数を表す数を含む。
【００７４】
ユーザがこうした群の１つを選択または押すと、アプリケーションはズームインして、この群の一部を形成する個々の充電ポイント（６８）を示す（図３ｂ）。
【００７５】
リスト機能の表示は、最も近いＣＰを入手または決定するなど別の機能を実行中にアイコン（４）をアクティブ化するとき開始される。
【００７６】
別の有益な観点は、住所および各ＣＰへの距離を提供するＣＰリストである。ユーザは、それらをタッピングすることにより、これらの充電ポイント（６８）についてより多くの情報を見つけることができる。
【００７７】
検索機能は、第３のアイコン（３）をタッチまたは選択するとアクティブ化される。
【００７８】
いくつかの実施形態において、充電ポイントを検索する機能は、アイコン（３）をタッチすることによって選択でき、図５に示す表示が、充電ポイント（６８）の手動検索のためにモバイルの画面上に現れる。この機能は、フリーテキスト領域（５１）を備え、ここでユーザは充電ポイント住所または記述の一部を付け加えることができる。検索により、与えられた住所または記述と一致したすべての充電ポイント（６８）が列挙される。このリストからユーザは以下の動作を実施する：
・任意の列をタップすると、システムはＣＰ詳細付きの「充電ポイント情報」を示す。
・充電ポイントの全体リストは、地球儀アイコンをタップすることによって衛星により測量することができる。この場合、ＧＩＳ地図は、提供された検索基準と一致したＣＰのみを示す。さらに、設定パラメータ（国、運営者およびコネクタタイプ）を満たす充電ポイントのみがリストおよび地図上に示される。
【００７９】
アプリケーションは、図６ａに示す充電ポイントについての詳細情報を表示する。提供されるデータは以下のとおりである：
・充電ポイントの一般的な識別子（簡単な記述）。
・位置、以下のデータは連鎖しており、スペースで分離されている：
−  住所タイプ
−  住所
−  番号
−  残りの住所
−  郵便番号
−  市
−  コネクタの数。
−  コネクタタイプ。
−  運営者。
−  ＧＰＳ座標。
−  充電ポイントからユーザの位置までの距離。
【００８０】
図６ａに示すこの表示された情報の底部に、以下の他の機能を実行する図６ｂに示す１組のボタンまたはアイコンが含まれる：
・第１の機能（１０）は、ＣＰにおける何らかの問題、故障した部品など充電ポイントの状態についてのメッセージを送信する機能を提供する。この機能は、クラウドソーシング機能に属する。
・第２の機能（２０）は、ＧＩＳ環境における充電ポイントを示す。
・第３の機能（３０）は、現在位置から充電ポイントへのモバイルアプリケーション内のルートを示す。これについては後で説明する。
・最後に、最後のボタン（４０）は、Ｇｏｏｇｌｅマップなど、充電ポイントへ誘導するために外部のアプリケーションを開くための選択肢を提供する。
【００８１】
アプリケーションはまた、経路指定プロセス選択肢を提供する。第３のボタン（３０）を選択してこのプロセスを使用することにより、ユーザは現在位置から選択された充電ポイント（６８）へのルートを見ることができる。アプリケーションが充電ポイントの情報に戻るたびにまた、ユーザの位置から選択された充電ポイント（６８）へのルートを示すことができる。この選択肢を選択すると、システムは、モバイルデバイスに組み込まれたＧＰＳナビゲーションデバイスに接続し、Ｇｏｏｇｌｅによって提供された特徴を使用して充電ポイントへの最適なルートを示す。
【００８２】
アプリケーションは、充電ポイントの詳細画面の底部にある２つのアイコンによって区別されているように見える、２つの経路指定方法を有する：
・ユーザの位置から選択された充電ポイントまでの、地図に表示されたルートを図７ａに表示する。
・ユーザの位置から選択された充電ポイントへの到着方法を図７ｂで段階的に説明する。
【００８３】
考慮に入れる別の重要な点はクラウドソーシングである。このことは、システムは情報を注意深く精査しようとするが、ＥＶユーザからのヘルプは、現在のＣＰ情報についてのエラーを通知するのに実際重要であるということを意味している。
【００８４】
その理由から、システムはＣＰのエラー情報を通知する、または設置された新しいＣＰを通知するための２つの方法を提供する。
【００８５】
２つのタイプの通知がある：
・ユーザが、故障、取り替え、または改良などを伝達する充電ポイント（６８）に関する通知。もし当てはまれば、この情報は、問題を調整するために運営者に提供される。ユーザは、充電ポイント詳細の画面でこの特徴を見つけることができる。
・新しい充電ポイントの通知機能は、ＥＶユーザが第５のアイコン（５）をタッチまたは選択するときアクティブ化される。新しい充電ポイントのこの通知は、ユーザによって見つけられ、ＣＰＭシステムに登録されていない充電ポイントに関する。この機能は、ＣＰＭＳが他の運営者からの外部の充電ポイントを示した場合に当てはまる。この通知の領域は：
−  充電ポイントの説明、
−  運営者、
−  コネクタタイプ、
−  コメント
である。
【００８６】
いくつかの実施形態において、モバイルまたは接続された物体上のアプリケーションデータを更新する機能を含む。アプリケーションは、最新のデータ：新旧の充電ポイント、その位置およびコネクタ、を常に示すために定期的に更新する必要がある。アプリケーションは、運営者も更新する。
【００８７】
様々な更新のタイプがある：
・運営者およびコネクタは、ｅｃａｒｇａシステムが新しい更新パッケージを生成したときはいつも更新される。アプリケーションは、スマートフォンに組み込まれた更新ツールを使用する。たとえば、ＣＰＭシステムは、Ｇｏｏｇｌｅ  ｐｌａｙ  ＯＴＡメカニズムをとおして新しい更新を生成することができる。
・アプリケーションは組み込まれるだけである。アプリケーションを初めて動作させるとき、国がモバイルの座標から計算され、すべてのローカルな充電ポイント（６８）およびこの国のコネクタがダウンロードされる。この初回に、運営者および国もダウンロードされる。これらのデータはローカルな記憶装置に保存される。たとえば、前記データは、ＣＰＭＳシステムのローカルなデータベースに保存されている。
・ユーザは、好みにしたがって３つの国まで選択することができる。前記ユーザが国を選択すると、この国のすべての充電ポイント（６８）およびコネクタがダウンロードされる。
・アプリケーションが開始し、自動更新が可能になるたびに、アプリケーションは充電ポイント（６８）およびコネクタが更新されてから１５日を超えたかどうかチェックし、この場合、アプリケーションはウェブサービスにアクセスし、ダウンロードするために何か新しいまたは変更されたデータがあるか調べる。
【００８８】
いくつかの実施形態において、アプリケーションは、「プライベート機能」を含む。こうした「プライベート機能」は、ＣＰＭＳを充電ポイント制御システムとして使用する運営者と契約を結んでいるＥＶユーザに提供される。この状態において、ユーザは、高度な機能を有するプライベート領域へのアクセスを認めるクレデンシャルを与えるであろう。
【００８９】
この領域は、充電の状況、遠隔操作、セッション履歴など新しい機能が提供される領域である。
【００９０】
アプリケーションは、ユーザ名およびパスワードを入力することによって、アプリケーションのプライベート領域に到達することができるいくつかの画面からアクセス可能なログイン画面を提供する。
【００９１】
ログインデータが正しい場合、ユーザはアプリケーションのプライベート部分に入り、正しくない場合、ユーザにクレデンシャルは正しくないことを伝えるメッセージが同じ画面に現れ、ユーザはプライベート領域にアクセスすることはできない。
【００９２】
ユーザがプライベート領域にアクセスした後で、充電の状況、遠隔操作、セッションまたは履歴、といった機能が提供される。
【００９３】
いくつかの実施形態において、モジュール予約は、スマートフォン、または、タッチディスプレイ、コントローラおよびメモリを有するモバイル物体に記憶するように構成され、複数の電気車両充電ポイントのための管理システムとの通信をサポートし、モバイルの位置を決定するためにモバイルデバイスに組み込まれたＧＰＳナビゲーションデバイスとの通信をサポートし、かつ、表示上に示されたモバイルの位置の周辺に設置されたＣＰについての情報を表示するためにＧＩＳとの通信をサポートする、スマートフォンのコントローラ用のコンピュータ実行可能命令を含み、コンピュータ実行可能命令は、複数の充電ポイントのうちの１つまたは複数の充電ポイントの少なくとも１つの特性について管理システムから情報を抽出するためのコンピュータコードを含む。
【００９４】
情報を表示するための命令は、利用可能性の概要、および、複数の充電ポイントのうちの１つまたは複数の利用可能ステータスを表示するように構成されている。情報を表示するための前記命令は、オブジェクトのスクロール可能な表示を作成するようにさらに構成されており、各オブジェクトは、複数の充電ポイントのうちの１つまたは複数の位置およびステータスを識別する。
【００９５】
いくつかの実施形態によれば、モジュール「予約」は、スマートフォンと協働して、コンピュータ実行可能命令により：
・ロギング情報を、ユーザによって使用された識別カードに関する情報と関連付けるために、システムでロギングすること、または、
・充電要求の設定を決定できるようにすること、または、
・表示されたリストまたは表示された地図上で、充電ポイント（６８）を表示し選択すること、または、
・充電ポイント（６８）の特徴表示が、選択するために表示上に列挙された様々なコネクタの可能性を提供した場合に、そのＥＶに適合したコネクタタイプを表示し、選択すること、または、
・日付の後に、時間範囲選択のための時間のセレクタを使用して、予約の時間範囲を選択すること、または、
・要求に関連した確認問題がないかどうか示すことによって応答するシステムへ、時間フレームおよび時間範囲と関連付けられた、充電ポイント（６８）識別の情報を送信すること、および、
・システムが予約時間フレームおよび時間範囲に対するロック命令をＥＶユーザの特定の識別カードに関連した選択されたコネクタタイプを有する選択されかつ識別された充電ポイント（６８）に送信した後で、システムから予約を確認する確認メッセージを受信し、その結果、予約の時間フレームおよび時間範囲中は、適切な識別を有するＥＶユーザのみが、充電ポイントのロックを解除し、それを使用することができること、
のための構成を提供する。
【００９６】
いくつかの実施形態によれば、モジュール「クラウドソーシング」は：
・ユーザが故障、取り替えまたは改良を伝達する充電ポイント（６８）に関し、ＣＰＭＳに送信される、既存の充電ポイント（６８）についての情報メッセージの作成を可能にし、または、
・ＥＶユーザが表示上のアイコン（５）をタッチまたは選択するときにアクティブ化される、新しい充電ポイント（６８）の通知を可能にする
ためのコンピュータ実行可能命令を含む。
【００９７】
予約プロセスを実施することができる、充電ポイント（６８）が示される地図上で予約するために、ユーザはモバイルアプリケーションをとおして、予約される容量によってマークされた充電ポイント（６８）を予約するプロセスを実行することができる。
【００９８】
予約プロセスを実行するために、ユーザはアプリケーションにログインするということに留意することが重要である。
【００９９】
充電ポイントの詳細に関して、充電ポイント（６８）が異なるコネクタを有する場合、ユーザは予約プロセスを開始させ、コネクタタイプを選ぶことができる。
【０１００】
いくつかの実施形態において、システムは、それをとおしてユーザがモジュール「予約」により予約要求を完了することができる、カレンダおよび時間のセレクタを有する。システムは、すでに予約された場所を示す。
【０１０１】
カレンダにおいて、容量予約が完了した日は無効となる。照会がなされる日に先立つ日は、常に無効とされ、後続の日は１か月の照会の制限がある。
【０１０２】
日付を選択した後で、ユーザは後続の画像に従って、予約の時間範囲を選択しなければならない。
【０１０３】
要求に関連した確認問題がない場合、システムは、アプリケーションの承認で応答し、ユーザによって保持された予約が列挙される画面にリダイレクトする。
【０１０４】
ユーザは、ポイントに関連する予約、およびなされた予約について問い合わせすることができる。
【０１０５】
この機能に対するアクセスはサイドバーにあり、ユーザがログインした場合にのみアクセスすることができる。ログインしないと、この機能はメニューには現れるが無効である。
【０１０６】
各予約の詳細における領域は：
・位置、
・予約の日付および時間範囲、
・予約状況
である。
【０１０７】
上の領域に加え、各予約は、予約編集または予約取り消しの制御を有する。
【０１０８】
この画面上で、予約の変更を行うことができる。変更がなされた後で、情報は、情報を更新するサービスを介してバックエンドシステムに送信される。
【０１０９】
ユーザが予約を取り消す場合、アプリケーションは、ユーザが予約を取り消そうとしていることを確認するために問い合わせを行う。そのとおりであれば、アプリケーションは、次に取り消しを予約システムに送信し、一方、リストでは予約が取り消しへと変更される。
【０１１０】
選択肢「充電ポイントに関連した予約」が、「充電ポイント検索」セクションで説明したのと同じ画面を示す。その画面は、照会をフィルタするために画面上部に検索エンジンを有する。
【０１１１】
列挙された各充電ポイント（６８）のそばに、予約へのアクセスを可能とする制御が現れる。
【０１１２】
予約をタップすると、上で示された、ユーザによって実行された再充電の詳細と同じ特性を有する、充電ポイントによって関連付けられた予約を示す画面が現れる。
【０１１３】
モバイルアプリケーションと統合されるためにＣＰＭＳによって提供され、ＥＶユーザに情報を示す２つのＲＥＳＴサービスがある：
【０１１４】
・充電ポイントモバイルサービスＳＥ（ＣｈａｒｇｅＰｏｉｎｔＭｏｂｉｌｅＳｅｒｖｉｃｅＳＥ）サービス。これは、以下の操作で充電ポイントおよびコネクタ情報にアクセスする：
−  ｆｉｎｄＡｌｌＣｏｎｎｅｃｔｏｒ：コネクタを検索する。ユーザは最後の変更データをフィルタすることができる。
−  ｆｉｎｄＢｙIｄ：ＩＤを使用して充電ポイント（そのコネクタを含む）の完全な詳細を入手するメソッド。
−  ｆｉｎｄＣｈａｒｇｅＰｏｉｎｔ：充電ポイントを検索する。ユーザは、最後の変更データ、住所、座標、国、または運営者によってフィルタすることができる。
・マスタテーブルモバイルサービスＳＥ（ＭａｓｔｅｒＴａｂｌｅｓＭｏｂｉｌｅＳｅｒｖｉｃｅＳＥ）サービス。異なるマスタテーブルのリストにアクセスする。すべての操作はフィルタを含む。以下の操作が適用される：
−  ｆｉｎｄＡｌｌＣｏｎｎｅｃｔｏｒＴｙｐｅ：すべてのタイプのコネクタを検索する。
−  ｆｉｎｄＡｌｌＯｐｅｒａｔｏｒ：すべての運営者を検索する。
−  ｆｉｎｄＡｌｌＳｏｕｒｃｅ：すべてのソースを検索する。
【０１１５】
ＲＥＳＴ（表現状態転送）により、発明者らは、同一のインタフェースなど制約を指定し、ウェブサービスに適用されると性能、拡張性、および改修容易性など望ましい特性を引き起こし、ウェブ上でサービスが最もよく働くようにさせる、コンピュータのアーキテクチャスタイルを意味する。
・モバイルアプリケーションはまた、たとえば、以下の特徴セットを提供する：相互運用性：アプリケーションは、インタフェースで標準的な通信プロトコルを使用する（ＲＥＳＴウェブサービスをとおして必要な情報を発行する）。この結果、あらゆるレベルで相互運用性が高まる。
・データ保護必要度による様々なレベルにおけるセキュリティ。公開データ（アプリケーションにより現在表示されるデータ）、および認証が必要なプライベートデータがある。
・ソリューションを保証するための多言語が、フロントエンドまたは充電ポイントでエンドユーザに送信されるメッセージのような様々なレベルにおいて、任意の言語に適合されている。
・モバイルアプリケーションは、任意の設置された充電基盤とエンドユーザが通信するための、統合プラットフォームまたはゲートウェイとして働くことができる。
・グラフィックおよびリッチカスタマインタフェース。このソリューションは、退屈で複雑なデータ検索を避けて、一目で画面上のすべての充電ポイントの情報を即時に見ることができるようにする、視覚システム、ＧＩＳを提供する。
【０１１６】
本出願は、図面および／または様々な実施形態を参照して、様々な技術的な特徴および利点を記載している。当業者であれば、所与の実施形態の技術的特徴は、明示的に述べていない限り、または、その組み合わせが、本出願で述べた技術的な問題のうちの少なくとも１つに対するソリューションを提供しないということがない限り、実際は別の実施形態の特徴と組み合わせることができる、ということを理解するであろう。さらに、所与の実施形態で記載した技術的特徴は、明示的に述べていない限り、本実施形態の他の技術的特徴から分離することができる。
【０１１７】
当業者にとって、本発明により、特許請求された本発明の出願分野から逸脱することなく、多くの特定の形式で実施形態が可能となるということは明白であるにちがいない。したがって、本実施形態は例示であると考えなければならないが、添付の特許請求の範囲によって定義される領域において改変することが可能であり、本発明は上記の詳細に制限されてはならない。
【符号の説明】
【０１１８】
１、２、３、４、５  アイコン
６８  充電ポイント
【図１】
2018110517.tif 000003
【図２】
2018110517.tif 000004
【図３ａ】
2018110517.tif 000005
【図３ｂ】
2018110517.tif 000006
【図４】
2018110517.tif 000007
【図５】
2018110517.tif 000008
【図６ａ】
2018110517.tif 000009
【図６ｂ】
2018110517.tif 000010
【図７ａ】
2018110517.tif 000011
【図７ｂ】
2018110517.tif 000012
【図８ａ】
2018110517.tif 000013
【図８ｂ】
2018110517.tif 000014
【外国語明細書】
2018110517000001.pdf